(57)【特許請求の範囲】
【請求項１】
開口幅方向に延出する長尺状のスラットであって、該スラットは、平板状のスラット本体と、該スラット本体の上端部より内方斜め上方に向かって延出する係合部と、該スラット本体の下端部に形成された係合受部とからなり、該係合受部は本体の下端部より該本体と隙間を存して折り返され上方に向かって延出してなる立ち上り部と、該立ち上り部からさらに弧を描くように湾曲しながら延出する巻状部と、該巻状部端部を、該立ち上り部に向かって緩やかに斜め上方に向かって延出してなる傾斜部とを有しており、該傾斜部の端縁と該立ち上り部との間に下方に臨む開口部が形成されており、前記係合部は、本体の上端部より緩やかに斜め上方に向かって延出する第一傾斜部と、該第一傾斜部よりさらに急勾配で斜め上方に延出する第二傾斜部と、該第二傾斜部より緩やかに斜め下方に延出する第三傾斜部と、該第三傾斜部の延出端部を折り返し折曲してなる第四傾斜部とを有していることを特徴とするシャッタースラット。
【請求項２】
請求項１に記載したシャッタースラットを上下に連設して形成されるシャッターカーテンであって、上下隣位のスラット同士は下位のスラットの係合部を上位のスラットの係合受部内部に遊動自在に係合させることで連結されており、シャッターカーテン全閉時においては、上位のスラットの係合受部の折り返し部と下位スラットの係合部の第一傾斜部が当接すると共に、上位スラットの巻状部内壁と下位スラットの傾斜部との間に水切り空間が形成されており、シャッターカーテンの巻取時には、該係合受部の折り返し部から該係合部の第一傾斜部が離隔し、下位スラットの係合部の第二傾斜部と第三傾斜部の会合部位が上位スラットの巻状係合受部の端縁に線接触するように構成されていることを特徴とするシャッターカーテン。
【請求項３】
前記複数のスラットにおいて、一巻目を形成する吊元側スラットのうち少なくとも一つのスラットの本体は高さ方向中間部において外方に屈曲されており、該屈曲されたスラットより下位のスラットの本体は上下方向に鉛直状に延出したフラットスラットであることを特徴とする請求項２に記載のシャッターカーテン。
【発明の詳細な説明】
【０００１】
【発明の属する技術分野】
本発明は、シャッターカーテンおよび該シャッターカーテンを構成するスラットの形状に関するものである。
【０００２】
【従来の技術】
建物開口部に設置されるシャッター装置が屋内空間と屋外空間とを仕切るような場合には、シャッターカーテンから雨水が進入しないようにする必要がある。シャッターカーテンは通常複数のスラットを上下に連設することで形成されているので、該スラット同士の連結部から雨水が浸入し難いような構成にすることが望ましい。
【０００３】
また、複数のスラットを連設することで形成されたシャッターカーテンでは、シャッターカーテンの開閉時において、スラット同士の連結部が巻取シャフトに当接する際に、不快な摩擦音や異常音が発生することがある。
【０００４】
図１０は従来のいわゆるオーバーラッピング型のスラットの連結を示す図であって、（ａ）のものは、音の発生は抑制できるが、上下のスラットの連結部に形成される隙間部が下方に向かって延出するので防水が不十分であるという欠点がある。（ｂ）のものは、防水性能は良好であるが、巻取時に、下方に位置するスラットの係合部が既に巻装されているスラットに当って擦れたり、あるいは係合部同士が擦れて音が発生してしまうという欠点がある。このように、防水と音の発生防止は、いずれかを解決しようとすると他方が犠牲になってしまい、双方を満たすようなスラットはなかった。
【０００５】
【発明が解決しようとする課題】
本発明は、スラットの形状に特徴を持たせることで、前記課題を解決するものであって、雨仕舞が良好で、かつシャッターカーテンの開閉時に不快な音が発生しないようなシャッターカーテンおよびスラットを提供するものである。
【０００６】
【課題を解決するための手段】
かかる課題を達成するために本発明が採用した技術手段は、開口幅方向に延出する長尺状のスラットであって、該スラットは、平板状のスラット本体と、該スラット本体の上端部より内方斜め上方に向かって延出する係合部と、該スラット本体の下端部に形成された係合受部とからなり、該係合受部は本体の下端部より該本体と隙間を存して折り返され上方に向かって延出してなる立ち上り部と、該立ち上り部からさらに弧を描くように湾曲しながら延出する巻状部と、該巻状部端部を、該立ち上り部に向かって緩やかに斜め上方に向かって延出してなる傾斜部とを有しており、該傾斜部の端縁と該立ち上り部との間に下方に臨む開口部が形成されていることを特徴とするものである。該係合部は、本体の上端部より緩やかに斜め上方に向かって延出する第一傾斜部と、該第一傾斜部よりさらに急勾配で斜め上方に延出する第二傾斜部と、該第二傾斜部より緩やかに斜め下方に延出する第三傾斜部と、該第三傾斜部の延出端部を折り返し折曲してなる第四傾斜部とを有していることを特徴としている。
【０００７】
本発明が採用した他の技術手段は、前記スラット同士を下位のスラットの係合部を上位のスラットの係合受部内部に遊動自在に係合させることで連結することで構成したシャッターカーテンに関するものである。シャッターカーテン全閉時においては、上位のスラットの係合受部の折り返し部と下位スラットの係合部の基端側が当接すると共に、上位スラットの巻状部内壁と下位スラットの係合部との間に水切り空間が形成されている。また、シャッターカーテンの巻取時には、上位のスラットの巻状係合受部の外周面が巻取シャフトあるいは既に巻き取られているスラットに当接するようになっている。
【０００８】
本発明が採用した他の技術手段は、前記シャッターカーテンにおいて、一巻目を形成する吊元側スラットのうち少なくとも一つのスラットの本体は高さ方向中間部において外方に屈曲されており、該屈曲されたスラットより下位のスラットの本体は上下方向に鉛直状に延出したフラットスラットであることを特徴とするものである。このものでは、フラットスラットからなるシャッターカーテンを巻き取るものでありながら、整然かつ良好にシャッターカーテンを巻き取ることができる。
【０００９】
【発明の実施の形態】
本発明の実施の形態を図面に基づいて説明する。図１は建物開口部に設置されるシャッター装置の正面図および側面図である。図２は巻取シャフトおよびシャッターカーテンの側面図である。シャッター装置は建物開口部上方に設置されたシャッターケース１と、シャッターケース１内に開口部幅方向に延出して内装された巻取シャフト２と、上端が巻取シャフト２に連結されており、開口部開放時には巻取シャフト２に巻装されており、開口部閉鎖時には巻取シャフト２から繰り出されて建物開口部を閉鎖するシャッターカーテン３と、開口部左右端部に立設されており、シャッターカーテン３の左右両端部を案内するガイドレール４とを有している。
【００１０】
シャッターカーテン３は複数のスチール製スラットを上下に連設させて形成されているが、スラットは、巻取シャフト２側から（上方から）、吊元５、二つの吊元側スラット６、複数のフラットスラット７から構成されている。最下端に位置するフラットスラット７の下端側には座板バー８が連結されており、座板バー８には、上座板９と下座板１０とから構成された障害物検知用座板スイッチＳが設けてある。図１において、符号１１は開閉機である。また、図２において、シャッターカーテン３を挟んで左側が屋内側（明細書では屋内側を内方という）、右側が屋外側（明細書では屋外側を外方という）である。
【００１１】
図３は吊元５及び吊元側スラット６の側面図であり、図４はフラットスラット７の側面図である。吊元側スラット６及びフラットスラット７は共に、上下方向に延出する本体６０，７０と、本体６０，７０の上端部に一体的に形成された係合部６１，７１、本体６０，７０の下端部に一体的に形成された巻状係合受部６２，７２とを備えている。
【００１２】
係合受部６２，７２は、本体６０，７０の下端部より、本体６０，７０との間で隙間を存して、内方斜め上方に向かって延出してなる立ち上り部６２ａ７２ａと、立ち上り部６２ａ，７２ａからさらに弧を描くように湾曲しながら延出する巻状部６２ｂ、７２ｂと、巻状部６２ｂ，７２ｂの端部を立ち上り部６２ａ，７２ａに向かって緩やかに上方に向かって延出してなる傾斜部６２ｃ，７２ｃとを有しており、傾斜部６２ｃ、７２ｃの端縁６２ｄ，７２ｄと立ち上り部６２ｃ，７２ｃとの間には下方に臨む開口部が形成されている。巻状部６２ｂ、７２ｂおよび傾斜部６２ｃ、７２ｃは折り返し部Aよりも下方に突出しないようになっている。
【００１３】
係合受部６２，７２は、立ち上り部６２ａ，７２ａと本体６０，７０との間に間隔Ｓを存するように折り返し形成されているので、例えば、立ち上り部を本体に重合するように（潰しを形成するように）折り返した場合（鋭角の折り返し部という）に比べて、折り返し部Aは丸みを帯びたもの（鈍角の折り返し部という）となっている。鈍角の折り返し部Ａは、鋭角の折り返し部に比べて、めっきの剥離や塗膜剥離が無く、スラットの成形性も良好である。
【００１４】
係合部６１，７１は、本体６０，７０の上端部より緩やかに斜め上方に向かって延出する第一傾斜部６１ａ，７１ａと、第一傾斜部６１ａ，７１ａよりさらに急勾配で斜め上方に延出する第二傾斜部６１ｂ，７１ｂと、第二傾斜部６１ｂ，７１ｂより緩やかに斜め下方に延出する第三傾斜部６１ｃ，７１ｃとからなり、第三傾斜部６１ｃ，７１ｃの延出端部は鈍角に折り返し折曲されており、第四傾斜部６１ｄ，７１ｄが形成されている。第三傾斜部６１ｃ，７１ｃと第四傾斜部６１ｄ，７１ｄの会合部である折り返し部Bは折り返し部Aと同様丸みを帯びている。
【００１５】
上下隣位のスラット同士において、上位のスラットの下端の係合受部６２，７２の内部空間に、下位のスラットの上端の係合部６１，７１を位置することで、両スラットは互いに揺動自在に連結されている。
【００１６】
図５乃至図８は、上下隣位のスラットが上下方向に鉛直状に延出した状態（開口部全閉時）から互いに屈曲していく状態（巻き取られていく過程）を順次示した部分側面図である。図５に示すように、シャッターカーテン３が上下方向に延出した状態では、下位スラットの係合部７１の折り返し部Ｂが上位スラットの係合受部７２の巻状部７２ｂの内壁に軽く当接（いわば線接触している）していると共に、上位スラットの係合受部７２の折り返し部Ａが下位スラットの係合部７１の第１傾斜部７１ａに当接している。
【００１７】
この状態（開口部全閉時）において、折り返し部Ａが第一傾斜部７１ａに当接することで、スラット同士の連結部位からの雨水の浸入を可及的に防止している。特に、折り返し部Ａは鈍角で丸みを有しているので、折り返し部が鋭角なものに比べて良好に雨水の浸入を防止できる。さらに、上位スラットの係合受部７２と下位スラットの係合部７１とで形成される空間は斜め上方に延出しており、この空間が水切りの役割を有するようになっているので、万が一上下隣位のスラットの隙間から雨水が浸入しても、室内側へ雨水が浸入するようなことがない。
【００１８】
シャッター全閉時は、上下隣位のスラットの本体７０の上下端に位置して、シャッター面を構成する鉛直仮想面に対して僅かな凹部が生じるのみなので（図５）、ガイドレール部でシャッター面とのシールをした場合のシール性が良好である。
【００１９】
図５に示す状態から、シャッターカーテンを巻き取ろうとすると、先ず、上位のスラットが上動して、上位スラットの係合受部７２の折り返し部Ａと下位スラットの係合部７１の第１傾斜部７１ａとの間に隙間が生じる。そして、下位スラットの係合部７１の折り返し部Ｂは上位スラットの係合受部７２の巻状部７２ｂと傾斜部７２ｃとの会合部に当接（いわば線接触している）するようになっている（図６）。
【００２０】
図６の状態からさらに、シャッターカーテンが巻き取られて行くと、下位スラットの係合部７１の折り返し部Ｂは上位スラットの係合受部７２の巻状部７２ｂと傾斜部７２ｃとの会合部に当接すると共に、下位スラットの係合部７１の第三傾斜部７１ｃが上位スラットの係合受部７２の傾斜部７２ｃに当接するようになる（図７）。
【００２１】
この状態からさらに巻き取って行くと、上位スラットの係合受部７２の端縁７２ｄが下位スラットの第二傾斜部７１ｂと第三傾斜部７１ｃの会合部に当接するようになる（図８）。そして、図９に示すように、シャッターカーテンが巻き取られた状態においては、下位スラットの係合部７１の折り返し部Ｂは上位スラットの係合受部７２から離間し、スラットの係合受部７２の傾斜部７２ｃの先端縁７２ｄが、係合部７１の第二傾斜部７１ｂと第三傾斜部７１ｃとの会合部に当接するようになっている。開口部全閉状態から巻取状態に至る過程で、スラット連結部におけるスラット同士の当接部は乗り替るようになっている。したがって、図１０（ｂ）に示すように、スラットの係合部の面と面とが常時摺接しながらスラットが巻き取られるようなことがなく、不快な音の発生を可及的に防止している。
【００２２】
シャッターカーテン３を巻き取った状態では、上側に位置するスラット６，７の巻状係合受部６２，７２の外周面が巻取シャフト２あるいは既に巻き取られているスラットに当接するように構成されている。出願人が比較検討したところ、下位に位置するスラットの上端部が巻取シャフトに当接するように連結すると、かなり大きな異常音や傷が発生することがわかった。本発明のように、上位のスラット６，７の下端の係合受部６２，７２がスラットおよび巻取シャフト２に当接するようにすると、異常音の発生を解消できることがわかった。
【００２３】
特に図３（ａ）に示すように、吊元側スラット６の本体６０は高さ方向中央部位で外方に向かって緩やかに屈曲されており、傾斜部６０ａ，６０ｂから一体的に形成されている。図９はシャッターカーテンを巻取シャフトに巻き取った状態を示す側面図であって、一巻目を形成する吊元側スラット６の本体６０をフラットではなく側面視く字状の屈曲部材から構成することで、部分的に傾斜部６０ａ，６０ｂが巻径を大きくする（巻取シャフト２の外周面からの高さを調整する）ことができ、フラット状のスラット７を連設してなるシャッターカーテン３を良好かつ整然と巻き取ることができるようになっている（該屈曲部材がないと、一部のスラットが安定して巻き取られずに、シーソー状に可動な状態で巻き取られてしまう）。図示のものでは、屈曲状の吊元側スラット６は二つであるが、屈曲状の吊元側スラット６の個数は二つに限定されるものではない。
【００２４】
【発明の効果】
本発明が採用したスラットから構成されたシャッターカーテンにおいては、良好な雨仕舞を提供することができると共に、開閉時に発生し得る不快音やカーテンの傷付を可及的に防止することができる。スラットは、係合受部において、立ち上り部と本体との間に間隔を存するように折り返し形成されているので、折り返し部における塗膜剥離が無く、スラットの成形性も良好である。
【図面の簡単な説明】
【図１】建物開口部に設置されるシャッター装置の正面図および側面図である。
【図２】 巻取シャフトおよびシャッターカーテンの側面図である。
【図３】吊元及び吊元側スラットの側面図である。
【図４】フラットスラットの側面図である。
【図５】上下隣位のスラットが上下方向に鉛直状に延出した状態（開口部全閉時）を示す部分側面図である。
【図６】図５の状態から上位スラットが上動した状態を示す部分側面図である。
【図７】図６の状態から互いに屈曲していく状態（巻き取られていく過程）を示した部分側面図である。
【図８】図７の状態から互いに屈曲していく状態（巻き取られていく過程）を示した部分側面図である。
【図９】シャッターカーテンを巻取シャフトに巻き取った状態を示す側面図である。
【図１０】従来のスラットの連結部を示す図である。
【符号の説明】
３    シャッターカーテン
６    吊元側スラット
７    スラット
６０  本体
７０  本体
６１  係合部
７１  係合部
６２  係合受部
７２  係合受部
【図１】
0003713592.tif 000002
【図２】
0003713592.tif 000003
【図３】
0003713592.tif 000004
【図４】
0003713592.tif 000005
【図５】
0003713592.tif 000006
【図６】
0003713592.tif 000007
【図７】
0003713592.tif 000008
【図８】
0003713592.tif 000009
【図９】
0003713592.tif 000010
【図１０】
0003713592.tif 000011